(57)【特許請求の範囲】
【請求項１】
浴槽壁に設けられた上下一対の循環用接続口から浴槽水を循環させて加熱するための風呂釜装置であって、前記浴槽の循環用接続口に対して接続される一対の連結用パイプと該一対の連結用パイプを上下の位置に配置した水室とを備えた自然循環用連結具と、加熱手段を有する熱交換器と循環ポンプと強制循環用配管とを少なくとも備えた強制循環加熱具とからなり、強制循環加熱具は前記強制循環用配管を構成する追焚き戻り管の吸込口と追焚き往き管の吐出口をそれぞれ前記自然循環用連結具内に差入れた状態に配置してあることを特徴とする風呂釜装置。
【請求項２】
追焚き戻り管は、水室を貫通して下部連結用パイプの付け根から先端部へ深く侵入させて、その吸込口を設け、追焚き往き管は水室を貫通して上部連結用パイプの付け根から少しだけ侵入させて、その吐出口を設けたことを特徴とする請求項１に記載の風呂釜装置。
【請求項３】
下部連結用パイプの先端付近に、流れに対する抵抗部を設けたことを特徴とする請求項２に記載の風呂釜装置。
【請求項４】
水室の上下の連結用パイプの中間位置に対して浴槽の水位を検出するための水位センサを設けたことを特徴とする請求項２又は３に記載の風呂釜装置。
【請求項５】
浴槽の循環用接続口に対して連結用パイプを連結するのに用いる連結用ゴムを、樹脂製とした自然循環用連結具の前記連結用パイプに一体成形で取り付けてあることを特徴とする請求項１〜４の何れかに記載の風呂釜装置。
【請求項６】
浴槽の循環用接続口に対して連結用パイプを連結するのに用いる連結用ゴムを、予め自然循環用連結具の前記連結用パイプに取り付けておくと共に、該取り付けた連結用ゴムだけを風呂釜外装体から出しておく構成として、前記浴槽の循環用接続口と接続できるようにしたことを特徴とする請求項１〜５の何れかに記載の風呂釜装置。
【発明の詳細な説明】
【０００１】
【発明の属する技術分野】
本発明は、浴槽水を循環加熱する風呂釜装置に関する。
【０００２】
【従来の技術】
図３に従来の自然循環型風呂釜装置の例を示す。浴槽１０に対して自然循環型の風呂釜２０が連結されており、浴槽水が風呂釜２０に自然循環されながら加熱される。
自然循環型風呂釜装置の場合、浴槽１０側の壁に上下一対の大きな口径の循環用接続口１１を設け、風呂釜２０への自然循環が大口径のパイプを通じて良好に行えるようにする必要があった。
【０００３】
【発明が解決しようとする課題】
ところが、上記従来の古くなった自然循環型風呂釜２０を、浴槽１０を残して、新しい強制循環式の風呂釜に取り替えようとする場合、壁等を壊して循環用接続口１１を取り外し、強制循環式用の循環金具に付け替えなければならないという問題が有った。
一方、従来の自然循環型風呂釜２０は循環加熱効率やその他の機能の点において、新しい強制循環型風呂釜には劣るという問題があった。
【０００４】
そこで本発明は上記不都合を解消し、従来の自然循環型風呂釜に対して用いられていた浴槽をそのまま利用して、良好な循環加熱を行うことができる風呂釜装置の提供を課題とする。
【０００５】
【課題を解決するための手段】
上記課題を解決するため、本発明の風呂釜装置は、浴槽壁に設けられた上下一対の循環用接続口から浴槽水を循環させて加熱するための風呂釜装置であって、前記浴槽の循環用接続口に対して接続される一対の連結用パイプと該一対の連結用パイプを上下の位置に配置した水室とを備えた自然循環用連結具と、加熱手段を有する熱交換器と循環ポンプと強制循環用配管とを少なくとも備えた強制循環加熱具とからなり、強制循環加熱具は前記強制循環用配管を構成する追焚き戻り管の吸込口と追焚き往き管の吐出口をそれぞれ前記自然循環用連結具内に差入れた状態に配置してあることを第１の特徴としている。
また本発明の風呂釜装置は、上記第１の特徴に加えて、追焚き戻り管は、水室を貫通して下部連結用パイプの付け根から先端部へ深く侵入させて、その吸込口を設け、追焚き往き管は水室を貫通して上部連結用パイプの付け根から少しだけ侵入させて、その吐出口を設けたことを第２の特徴としている。
また本発明の風呂釜装置は、上記第２の特徴に加えて、下部連結用パイプの先端付近に、流れに対する抵抗部を設けたことを第３の特徴としている。
また本発明の風呂釜装置は、上記第２又は第３の特徴に加えて、水室の上下の連結用パイプの中間位置に対して浴槽の水位を検出するための水位センサを設けたことを第４の特徴としている。
また本発明の風呂釜装置は、上記第１〜４の何れかの特徴に加えて、浴槽の循環用接続口に対して連結用パイプを連結するのに用いる連結用ゴムを、樹脂製とした自然循環用連結具の前記連結用パイプに一体成形で取り付けてあることを第５の特徴としている。
また本発明の風呂釜装置は、上記第１〜５の何れかの特徴に加えて、浴槽の循環用接続口に対して連結用パイプを連結するのに用いる連結用ゴムを、予め自然循環用連結具の前記連結用パイプに取り付けておくと共に、該取り付けた連結用ゴムだけを風呂釜外装体から出しておく構成として、前記浴槽の循環用接続口と接続できるようにしたことを第６の特徴としている。
【０００６】
上記第１の特徴によれば、浴槽から自然循環用連結具内に流れ込んだ浴槽水は、その一部が強制循環用配管の追焚き戻り管の吸込口から熱交換器に循環されて加熱され、更に追焚き往き管を通って吐出口から再び自然循環用連結具内に戻り、浴槽内に循環する。
本特徴によれば、一対の循環用接続口を備えた従来の自然循環型風呂釜用の浴槽をそのまま利用して、強制循環型風呂釜を取り付けて用いることができる。
強制循環加熱具を通って加熱された高温水が自然循環用連結具を通る温水によって適当に温度低下され、適当な温度になって浴槽に入るので、入浴者に高温水による違和感を与えることがない。
【０００７】
上記第２の特徴によれば、上記第１の特徴に加えて、追焚き戻り管は、水室を貫通して下部連結用パイプの付け根から先端部へ深く侵入させて、その吸込口を設けているので、その吸込口での吸引圧が水室に及ぼす影響を無くすことができる。そして追焚き往き管は水室を貫通して上部連結用パイプの付け根から少しだけ侵入させて、その吐出口を設けたので、該吐出口からの強制循環温水の吐出力によるエジェクタ効果を十分に自然循環用連結具内を流れる自然流に対して及ぼすことができ、自然循環を促進させることができる。よって循環ポンプによる強制循環量以上の流量を流すことができ、適温に混合された温水を速やかに循環させて、入浴者に高温水による違和感を与えることなく追焚きすることができる。
【０００８】
また上記本発明の第３の特徴によれば、上記第２の特徴による作用に加えて、下部連結用パイプの先端付近に、流れに対する抵抗部を設けたことで、連結用パイプを利用して両搬送給湯により給湯器から浴槽に給湯する際に、下部連結用パイプから浴槽内に流出する勢いが弱められ、浴槽側から嵌め込まれたフィルタが水の勢いで外れるのが防止される。
【０００９】
また上記本発明の第４の特徴によれば、上記第２又第３の特徴による作用に加えて、水室の上下の連結用パイプの中間位置に対して浴槽の水位を検出するための水位センサを設けたことで、連結用パイプを利用して両搬送給湯により給湯器から浴槽に給湯する際に、水室内の圧力のバランスが前記中間位置でとられるため、給湯を行いながら水位を検出して、水位検出のための中断を行うことなく浴槽への湯張りが可能となる。
【００１０】
また上記本発明の第５の特徴によれば、上記第１〜４の何れかの特徴による作用に加えて、連結用ゴムを、樹脂製とした自然循環用連結具の前記連結用パイプに一体成形で取り付けることで、連結用ゴムと連結用パイプとを連結するための締め付けリング等の締め付け金具の数が半減され、また連結のための作業時間、作業コストが半減される。
【００１１】
また上記本発明の第６の特徴によれば、上記第１〜５の何れかの特徴による作用に加えて、風呂釜外装体からは連結用ゴムだけが突出し、連結用パイプは風呂釜外装体からに外に突出しないので、運搬時や組み立て時等において、風呂釜外装体から突出した連結用パイプが破損したりする不都合が解消される。また連結用パイプは風呂釜外装体から外に突出しないので、連結用パイプを樹脂製にした場合でも強度上の問題が生じない。
【００１２】
【発明の実施の形態】
以下、本発明の実施の形態を図面を参照しながら説明する。
図１は本発明の一実施形態を示す風呂釜装置の全体構成図、図２は抵抗板の正面図である。
【００１３】
図１において、１０は浴槽で、側壁の上下の位置に一対の循環用接続口１１が離間して設けられている。このような浴槽１０は、従来より自然循環型風呂釜用として用いられている。
風呂釜２０は、浴槽の循環用接続口１１に対して接続される一対の連結用パイプ２１ａ、２１ｂと該一対の連結用パイプ２１ａ、２１ｂを上下の位置に配置した水室２２とを備えた自然循環用連結具Ａ、加熱手段を有する熱交換器２３と循環ポンプ２４と追焚き戻り管２５及び追焚き往き管２６からなる強制循環用配管とを備えた強制循環加熱具Ｂ、及び外装体Ｃ等から構成されている。
前記風呂釜２０に対しては、図示しない給湯器からの給湯回路３０が接続されるようになされており、浴槽１０への湯張りができるようになっている。勿論、前記風呂釜２０は図示しない給湯器と一体的に構成してもよく、その場合には前記風呂釜２０と給湯器は同じ外装体Ｃに内装されることになる。
【００１４】
前記強制循環加熱具Ｂは、前記強制循環用配管を構成する追焚き戻り管２５の吸込口２５ａと追焚き往き管２６の吐出口２６ａをそれぞれ自然循環用連結具Ａ内に差し入れた状態に配置することで、浴槽１０から自然循環用連結具Ａ内に入ってきた浴槽水の一部を更に追焚き戻り管２５から熱交換器２３に導いて加熱し、追焚き往き管２６を介して、再び自然循環用連結具Ａ内に戻して、浴槽１０内に循環させることができる。
【００１５】
前記追焚き戻り管２５は、より具体的には、水室２２を貫通して下部連結用パイプ２１ｂの付け根から先端部へ深く侵入させて、その吸込口２５ａを設けている。一方、追焚き往き管２６は水室２２を貫通して上部連結用パイプ２１ａの付け根から少しだけ侵入させて、その吐出口２６ａを設けている。吐出口２６ａはその口を先細りに構成することで、吐出の勢いを上げ、エジェクタ効果を更に向上させることができる。
前記自然循環用連結具Ａの水室２２は連結用パイプ２１ａ、２１ｂに対して容量が大きくなされており、水室２２の側壁の上下に離間した位置から前記一対の連結用パイプ２１ａ、２１ｂを水平方向に突出させて設けている。この水平方向に伸びた連結用パイプ２１ａ、２１ｂに対して、そのパイプ内のほぼ中心線付近に、前記追焚き戻り管２５と追焚き往き管２６がそれぞれ同方向に侵入した形となっている。
【００１６】
前記下部連結用パイプ２１ｂの先端付近に、流れに対する抵抗部として抵抗板２７を設けている。この抵抗板２７は、図２に示すように、下部連結用パイプ２１ｂの通路断面積を減少させるような形状とされている。
浴槽１０から下部連結用パイプ２１ｂ側への循環用接続口１１には、浴槽１０から流出してゆく循環流に含まれるゴミ等を取り除くためのフィルタ１２が設けられる。その一方、浴槽１０に湯張りを行う際には、給湯器の給湯回路３０から風呂釜２０に供給された水を、追焚き戻り管２５、追焚き往き管２６の両方を通す両搬送で、両方の連結用パイプ２１ａ、２１ｂから浴槽１０内に導入させるのが効率的である。このとき下部連結用パイプ２１ｂを流れる水の勢いが大きいと、フィルタ１２が外れてしまう。そのため抵抗板２７を設けることで、流速を減じ、フィルタ１２が外れるのを防止することができる。
【００１７】
前記水室２２の上下の連結用パイプ２１ａ、２１ｂの中間位置に対して浴槽の水位を検出するための水位センサ２８を設けている。水位センサ２８は取入れパイプ２８ａを介して設けられている。
水位センサ２８を前記中間位置に設けることで、前記両搬送によって浴槽１０への湯張りを行う場合においても、水室２２内の前記水位センサ２８の位置では水圧がバランスをとり、湯張り水の流れによる水位圧力の影響を受けることなく、正確な浴槽水位の圧力を検出することができる。よって、途中中断して浴槽水位を測る必要なく、浴槽の連続湯張りができる。
【００１８】
前記自然循環用連結具Ａの一対の連結用パイプである上部連結用パイプ２１ａと下部連結用パイプ２１ｂにはその先端部付近に、それぞれ連結用ゴム２９、２９が取り付けられる。上下の連結用パイプ２１ａ、２１ｂと水室２２は樹脂製とし、一体成形により構成されている。そして前記連結用ゴム２９、２９の連結用パイプ２１ａ、２１ｂへの取り付けは、前記樹脂による一体成形の際に連結用ゴム２９、２９も連結用パイプ２１ａ、２１ｂに対して一体に成形しておく。これによって連結用ゴム２９、２９の連結用パイプ２１ａ、２１ｂに対する取り付け作業を省くことができ、また取り付けリング等の締め付け金具の必要数も半減させることができる。浴槽１０の循環用接続口１１への取り付けは、前記連結用ゴム２９、２９を循環用接続口１１に嵌め合わせて、前述した図示しない締め付けリング等の締め付け具で締め付けることで行う。
なお前記樹脂は、例えばＥＰＤＭ等の耐熱性樹脂材料とすることができる。
【００１９】
前記一対の連結用パイプ２１ａ、２１ｂは、それに取り付けた連結用ゴム２９だけが外装体Ｃから突出するようにし、連結用パイプ２１ａ、２１ｂそのものは外装体Ｃから出ないように構成する。この場合には、連結用ゴム２９を予め連結用パイプ２１ａ、２１ｂに前述の一体成形により或いは締め付け金具を用いて、取り付け固定しておくことになる。
連結用パイプ２１ａ、２１ｂが外装体Ｃから出ないように構成することで、連結用パイプ２１ａ、２１ｂが破損するのを大きく低減することができる。連結用パイプ２１ａ、２１ｂが外装体Ｃから突出していると、運搬中やその他の場合に破損しやすい。
【００２０】
上記において、連結用パイプ２１ａ、２１ｂは必ずしも外装体Ｃから出ないようにする必要はない。が、外装体Ｃから出ないようにすることで、従来破損し易かった連結用パイプ２１ａ、２１ｂの破損を低減できる。また自然循環用連結具Ａ全体を樹脂による一体成形品とすることができ、コスト低減を図ることができる。
また上記自然循環用連結具Ａは、必ずしも樹脂製で一体成形する必要はない。が、樹脂製とすることで、コスト低減を図れる他、連結用ゴム２９を連結用パイプ２１ａ、２１ｂと一体成形できるメリットがある。
【００２１】
【発明の効果】
本発明は以上の構成、作用からなり、請求項１に記載の風呂釜装置によれば、浴槽壁に設けられた上下一対の循環用接続口から浴槽水を循環させて加熱するための風呂釜装置であって、前記浴槽の循環用接続口に対して接続される一対の連結用パイプと該一対の連結用パイプを上下の位置に配置した水室とを備えた自然循環用連結具と、加熱手段を有する熱交換器と循環ポンプと強制循環用配管とを少なくとも備えた強制循環加熱具とからなり、強制循環加熱具は前記強制循環用配管を構成する追焚き戻り管の吸込口と追焚き往き管の吐出口をそれぞれ前記自然循環用連結具内に差入れた状態に配置してあるので、
一対の循環用接続口を備えた従来の自然循環型風呂釜用の浴槽をそのまま利用して、強制循環型風呂釜を取り付けて用いることができる。
また強制循環加熱具を通って加熱された高温水を、自然循環用連結具を通る温水により適当な温度に温度低下させて浴槽に導入することができ、入浴者に高温水による違和感を与えるのを解消することができる。
また請求項２に記載の風呂釜装置によれば、請求項１に記載の構成による効果に加えて、追焚き戻り管は、水室を貫通して下部連結用パイプの付け根から先端部へ深く侵入させて、その吸込口を設け、追焚き往き管は水室を貫通して上部連結用パイプの付け根から少しだけ侵入させて、その吐出口を設けたので、
吸込口での吸引圧が水室に及ぼす影響を無くすことができる。
特に吐出口からの強制循環温水の吐出力によるエジェクタ効果を十分に自然循環用連結具内の自然流に対して及ぼすことができ、自然循環を促進させることができる。よって循環ポンプによる強制循環量以上の流量を流すことができ、適温に混合された温水を速やかに循環させ、これにより入浴者に高温水による違和感を与えることなく、良好に追焚きすることができる。
また請求項３に記載の風呂釜装置によれば、請求項２に記載の構成による効果に加えて、下部連結用パイプの先端付近に、流れに対する抵抗部を設けたので、連結用パイプを利用して両搬送給湯により給湯器から浴槽に給湯する際に、下部連結用パイプから浴槽内に流出する勢いを弱めることができ、浴槽側から嵌め込まれたフィルタが水の勢いで外れるのを防止することができる。
また請求項４に記載の風呂釜装置によれば、請求項２又は３に記載の構成による効果に加えて、水室の上下の連結用パイプの中間位置に対して浴槽の水位を検出するための水位センサを設けたので、
連結用パイプを利用して両搬送給湯により給湯器から浴槽への給湯中であっても、浴槽内の水位を良好に検出することが可能となり、水位検出のための中断を途中で行うことなく浴槽への連続湯張りを行うことができる。
また請求項５に記載の風呂釜装置によれば、請求項１〜４の何れかに記載の構成による効果に加えて、浴槽の循環用接続口に対して連結用パイプを連結するのに用いる連結用ゴムを、樹脂製とした自然循環用連結具の前記連結用パイプに一体成形で取り付けてあるので、
連結用ゴムと連結用パイプとを連結するための締め付けリング等の締め付け金具の数を半減させることができ、また連結のための作業時間、作業コストを半減させることができる。
また請求項６に記載の風呂釜装置によれば、請求項１〜５の何れかに記載の構成による効果に加えて、浴槽の循環用接続口に対して連結用パイプを連結するのに用いる連結用ゴムを、予め自然循環用連結具の前記連結用パイプに取り付けておくと共に、該取り付けた連結用ゴムだけを風呂釜外装体から出しておく構成として、前記浴槽の循環用接続口と接続できるようにしたので、
運搬時や組み立て時等において、風呂釜外装体から突出した連結用パイプが破損したりする不都合が解消される。そして連結用パイプは風呂釜外装体から外に突出しないので、連結用パイプを自然循環用連結具の一部として低コストの樹脂製からなる一体品にしても強度上の問題を生じさせなくすることができる。
【図面の簡単な説明】
【図１】本発明の一実施形態を示す風呂釜装置の全体構成図である。
【図２】抵抗板の正面図である。
【図３】従来の自然循環型風呂釜装置の例を示す図である。
【符号の説明】
１０  浴槽
１１  循環用接続口
１２  フィルタ
２０  風呂釜
２１ａ  上部連結用パイプ
２１ｂ  下部連結用パイプ
２２  水室
２３  熱交換器
２４  循環ポンプ
２５  追焚き戻り管
２５ａ  吸込口
２６  追焚き往き管
２６ａ  突出口
２７  抵抗板
２８  水位センサ
２９  連結用ゴム
３０  給湯回路
Ａ  自然循環用連結具
Ｂ  強制循環加熱具
Ｃ  外装体
【図１】
0003575309.tif 000002
【図２】
0003575309.tif 000003
【図３】
0003575309.tif 000004